(57)【要約】【課題】本発明は、テーパリングとダイ上部を一体化した一体型ダイユニットを用い、シリンダとの間の隙間を用いて劣化樹脂を排出し、パリソン及び製品の外面の品質を向上させることを目的とする。【解決手段】本発明による一体型ダイユニット及びダイ構造は、テーパリング(3)とダイ上部(4)を一体化した一体型ダイユニット(50)を用い、シリンダ(1)との間に形成された隙間(51)を介して劣化樹脂を樹脂排出穴(52)から外部に排出することにより、パリソン(6)と製品の品質向上を得る構成である。【選択図】図１
2006297823.tif 000002
【特許請求の範囲】
【請求項１】
テーパリング(3)を一体に有する輪状のダイ上部(4)と、前記ダイ上部(4)に形成された樹脂排出穴(52)と、前記樹脂排出穴(52)に設けられ樹脂排出量を調整するための樹脂排出量調整バルブ(53)とを備え、
前記テーパリング(3)の内面のリング内面テーパ部(3A)と前記ダイ上部(4)の内面のダイ内面テーパ部(4A)は、継ぎ目を有することなく連続して形成されていることを特徴とする一体型ダイユニット。
【請求項２】
前記樹脂排出穴(52)は、断面Ｌ字型をなし複数配設されていることを特徴とする請求項１記載の一体型ダイユニット。
【請求項３】
請求項１記載の一体型ダイユニット(50)が設けられたシリンダ(1)と、前記シリンダ(1)内に上下動自在に設けられたピストン(2)及びコア体(13)と、前記一体型ダイユニット(50)の下部に接続されたダイ下部(5)と、前記シリンダ(1)の内面と前記一体型ダイユニット(50)との間に形成された隙間(51)とを有し、前記隙間(51)は前記樹脂排出穴(52)に連通し、前記コア体(13)の外周を流下する溶融樹脂の一部が前記隙間(51)及び樹脂排出穴(52)を介して外部へ排出されるように構成したことを特徴とする樹脂排出穴を有するダイ構造。
【発明の詳細な説明】
【技術分野】
【０００１】
本発明は、一体型ダイユニット及び樹脂排出穴を有するダイ構造に関し、特に、テーパリングとダイ上部を一体化してテーパリングの外周面とシリンダの内周面との間に形成された隙間から溶融樹脂の外周部分を外部に排出することにより、滞留による劣化樹脂をなくし、パリソン外周面及び製品の品質向上を得るための新規な改良に関する。
【背景技術】
【０００２】
従来、用いられていたこの種のアキュムレータ型のダイ構造としては、特許文献１に開示されている構成を図２に示すことができる。
すなわち、図２において符号１で示されるものはピストン２を上下動自在に内設したシリンダであり、このシリンダ１の下部には、テーパリング３、ダイ上部４及びダイ下部５が各々別体として積層されたダイス８が設けられている。
【０００３】
前記ダイ上部４には、このダイ上部４の一部を水平方向に出没させてパリソン６の一部を偏肉させるための偏肉調整ボルト７が設けられている。
前記シリンダ１及びダイス８の内側でかつ前記ピストン２の下方位置には、コア上部１０、コア中間１１及びコア下部１２からなるコア体１３を有するコアサポート１３Ａを支持するナカゴ１３Ｂが図示しないサーボモータによって上下動自在に設けられている。
【０００４】
前記ピストン２、シリンダ１、ダイス８と前記コア体１３との間には筒状に形成された溶融樹脂流路１４が設けられ、この溶融樹脂流路１４の下端である輪状の吐出口１５の幅は、前記コア体１３の上下動によって任意に調整でき、パリソン６の肉厚を任意に調整できるように構成されている。
【０００５】
また、前記シリンダ１の内壁１ａとピストン２との間には、わずかな間隙２０が形成されており、このピストン２の外壁２ａと前記シリンダ１の内壁１ａとの間の間隙２０から劣化樹脂が上方の図示しない掃除窓部から排出されるように構成されている。さらに、図示していないが、ピストン２の外周に付着している溶融樹脂を剥離用エッジによって剥離させ、排出口から排出させるように構成されていた。
【０００６】
【特許文献１】特開２００２−１８７１９９号公報
【発明の開示】
【発明が解決しようとする課題】
【０００７】
従来のダイ構造は、以上のように構成されていたため、次のような課題が存在していた。
すなわち、前記ピストンの上方に排出される溶融樹脂は、シリンダとピストンとの間に形成された間隙が小さいために、その排出量は少なく、かつ、排出するためには複雑な構造の剥離用エッジを必要としていた。
また、ダイス自体のテーパリングとダイ上部とが別体で構成されているため、このテーパリングとダイ上部との間の接ぎ目部分に上方から流下する溶融樹脂が入り込んで滞留し、この滞留した溶融樹脂が劣化して時間の経過と共にパリソンの外周面に付着し、最終的にはこのパリソンを用いて成形した製品の表面にキズ等の外面不良が表われることになっていた。
【課題を解決するための手段】
【０００８】
本発明による一体型ダイユニットは、テーパリングを一体に有する輪状のダイ上部と、前記ダイ上部に形成された樹脂排出穴と、前記樹脂排出穴に設けられ樹脂排出量を調整するための樹脂排出量調整バルブとを備え、前記テーパリングの内面のリング内面テーパ部と前記ダイ上部の内面のダイ内面テーパ部は、継ぎ目を有することなく連続して形成されている構成であり、また、前記樹脂排出穴は、断面Ｌ字型をなし複数配設されている構成であり、また、本発明によるダイ構造は、請求項１記載の一体型ダイユニットが設けられたシリンダと、前記シリンダ内に上下動自在に設けられたピストン及びコア体と、前記一体型ダイユニットの下部に接続されたダイ下部と、前記シリンダの内面と前記一体型ダイユニットとの間に形成された隙間とを有し、前記隙間は前記樹脂排出穴に連通し、前記コア体の外周を流下する溶融樹脂の一部が前記隙間及び樹脂排出穴を介して外部へ排出されるようにした構成である。
【発明の効果】
【０００９】
本発明による一体型ダイユニット及びダイ構造は、以上のように構成されているため、次のような効果を得ることができる。
すなわち、ダイスのテーパリングとダイ上部が一体化されて一体型ダイユニットで構成されていると共に、このテーパリングとシリンダとの間に樹脂排出穴に連通する隙間が形成されているため、上方から流下する溶融樹脂の外周部分は、この隙間を介して樹脂排出穴から外部に排出される。
従って、滞留による劣化樹脂はなくなり、パリソンの品質が向上し、製品の意匠面であるパリソン外面の劣化樹脂の生成を防止することができる。また、この溶融樹脂の排出は連続運転中も可能であり、中空成形の稼動効率を向上させることができる。
また、ダイ構造自体の部品点数を少なくすることができ、中空成形機の簡略化及び稼動後の清掃等を大幅に容易化できる。
【発明を実施するための最良の形態】
【００１０】
本発明は、テーパリングとダイ上部を一体としてテーパリングの外周面とシリンダの内周面との間に形成された隙間から溶融樹脂の外周部分を外部に排出することにより、滞留による劣化樹脂をなくし、パリソン外周面及び製品の品質向上を得るようにした一体型ダイユニット及びダイ構造を提供することを目的とする。
【実施例】
【００１１】
以下、図面と共に本発明による一体型ダイユニット及びダイ構造の好適な実施の形態について説明する。
尚、従来例と同一又は同等部分には同一符号を用いて説明する。
図１において符号１で示されるものはピストン２を上下動自在に内設したシリンダであり、このシリンダ１の下部には、テーパリング３及びダイ上部４及びダイ下部５が一体化された構成よりなる輪状の一体型ダイユニット５０とダイ下部５が別体として積層されたダイス８が設けられている。
【００１２】
前記一体型ダイユニット５０の内面の前記テーパリング３に相当するリング内面テーパ部３Ａ及び前記ダイ上部４に相当するダイ内面テーパ部４Ａは、従来のような接ぎ目を有しない一体化されたテーパ面で構成されている。
【００１３】
また、前記テーパリング３の外周面と前記シリンダ１の内周面１ａとの間には断面形状でＬ字型をなす隙間５１が形成され、この一体型ダイユニット５０の前記ダイ上部４相当部分には、前記隙間５１と連通する樹脂排出穴５２が形成されている。
【００１４】
前記樹脂排出穴５２は、前記一体型ダイユニット５０を平面的にみると、例えば４個（９０度毎）からなる複数形成されており、その形状は断面形状ではＬ字型をなすと共に、樹脂排出量調整バルブ５３が設けられている。
前記樹脂排出量調整バルブ５３を出入させることにより、前記樹脂排出穴５２から外部へ排出される溶融樹脂の量を調整することができるように構成されている。尚、従来構成の偏肉調整ボルト７はここでは図示を省略している。
【００１５】
前記シリンダ１及びダイス８の内側でかつ前記ピストン２の下方位置には、コア上部１０、コア中間１１及びコア下部１２からなるコア体１３を有するコアサポート１３Ａを支持するナカゴ１３Ｂが図示しないサーボモータによって上下動自在に設けられている。
【００１６】
前記ピストン２、シリンダ１、ダイス８と前記コア体１３との間には筒状に形成された溶融樹脂流路１４が設けられ、この溶融樹脂流路１４の下端である輪状の吐出口１５の幅は、前記コア体１３の上下動によって任意に調整でき、パリソン６の肉厚を任意に調整できるように構成されている。
【００１７】
また、前記シリンダ１の内壁１ａとピストン２との間には、わずかな間隙２０が形成されており、このピストン２の外壁２ａと前記シリンダ１の内壁１ａとの間の間隙２０から劣化樹脂が上方の図示しない掃除窓部から排出されるように構成されている。
【００１８】
次に、動作について説明する。図１は、ピストン２を下降させて溶融樹脂を吐出口１５からパリソン６として下方の金型（図示せず）に向けて垂下させている状態を示しており、この場合、溶融樹脂流路１４を流下する溶融樹脂は、リング内面テーパ部３Ａ及びダイ内面テーパ部４Ａを介して円滑に流れるが、この溶融樹脂の外周部分（すなわち、劣化樹脂）は前記隙間５１を介して樹脂排出穴５２から外部に排出される。
【００１９】
この場合、溶融樹脂の劣化状態を観察しつつ、前記樹脂排出量調整バルブ５３を回転させることにより、排出される量を自在に調整することができる。
従って、パリソン６には前述の劣化樹脂の混入を防止し、品質の高いパリソン及び製品とすることができる。
【産業上の利用可能性】
【００２０】
本発明は、一体型ダイユニットを有する中空成形機とするだけでなく、市場で稼動中の中空成形機のダイスの一部を一体型ダイユニットに交換するアフターマーケットに適用可能である。
【図面の簡単な説明】
【００２１】
【図１】本発明による一体型ダイユニット及びダイ構造を示す断面図である。
【図２】従来のダイ構造を示す断面図である。
【符号の説明】
【００２２】
１    シリンダ
２    ピストン
３    テーパリング
４    ダイ上部
３Ａ    リング内面テーパ部
４Ａ    ダイ内面テーパ部
５    ダイ下部
６    パリソン
８    ダイス
１３    コア体
１４    溶融樹脂流路
２０    間隙
５０    一体型ダイユニット
５１    隙間
【図１】
2006297823.tif 000003
【図２】
2006297823.tif 000004